(57)【特許請求の範囲】
【請求項１】
使い捨てまたは非使い捨て着用物品を着用者が着用するときに、これらの着用物品の着用者面側に載置して使用される使い捨て補助パッドであって、
前記使い捨て補助パッドは、吸収体と、吸収体の上側に積層された透液性のトップシートと、吸収体の下側に積層されたバックシートとを備え、このバックシートが排泄液の一部を透過し得る、開口率２０〜５０％であり、開口面積が０．５ｍｍ2以上の孔を一つ以上有する開口シートであることを特徴とする使い捨て補助パッド。
【請求項２】
吸収体が、上層吸収体と下層吸収体およびこれら上下層吸収体の間に介在する中間層を備え、この中間層がＪＩＳ  Ｌ１０９２による耐水圧が３０ｍｍ以上の不織布積層体である請求項１に記載の使い捨て補助パッド。
【請求項３】
吸収体が、上層吸収体と下層吸収体およびこれら上下層吸収体の間に介在する中間層を備え、この中間層が、開口率が２０〜５０％、個々の孔の面積が０．５ｍｍ２以上の開口シートである請求項１に記載の使い捨て補助パッド。
【発明の詳細な説明】
【０００１】
【発明の属する技術分野】
本発明は、使い捨てオムツ等の着用物品の内側へ取り付けて、尿を吸収する使い捨て補助パッドに関し、特に、着用物品の尿の横漏れを引き起こしにくい使い捨て補助パッドに関するものである。
【０００２】
【従来の技術】
使い捨て補助パッドは、使い捨てオムツや使い捨てパンツ、あるいは洗濯可能な非使い捨ての失禁パンツ等（以下、これらを総称して着用物品という）の着用者面（肌面）側に取り付けられ、失禁あるいは排尿があれば、補助パッドのみを取り替えて、常に清潔な状態を保つようにするために使用される。これは、使い捨て製品が高価であり、排尿毎に取り替えるのは不経済であること、洗濯可能な失禁パンツであれば洗濯が面倒であること、使い捨て補助パッドの製品構造が簡単で安価なこと、等の理由による。
【０００３】
しかし、安価な使い捨て補助パッドといっても、失禁や排尿毎に取り替えるとなると、費用がかさむ。また、ゴミ量も増大する。こういったことから、特に、液戻りしないドライ感に優れたトップシートを使う使い捨て補助パッドの場合、着用者に不快感が少ないため、比較的長時間にわたって使い捨て補助パッドを使用する着用者が増えている。
【０００４】
ところが、使い捨て補助パッドの交換回数を減らして長時間使用した場合に、使い捨て補助パッドの吸収容量を超えた尿が、補助パッドの両横から補助パッドの下側（肌面の反対側）にある着用物品へ漏れ出すため、この漏れてきた尿が、着用者の脚の付け根側の最も横漏れしやすい場所に集中することとなり、結局着用物品の外側へ横漏れして、シーツや衣類を汚すことがあった。また、就寝中などは後漏れの原因となっていた。
【０００５】
【発明が解決しようとする課題】
これらの漏れ現象について本発明者らが検討した結果、その発生原因は、使い捨て補助パッドの不透液性プラスチックフィルム製のバックシートにあることがわかった。すなわち、不透液性のバックシートが補助パッドの最下層全面を覆っているため、吸収体の吸収容量を超えた尿が補助パッドの幅方向あるいは長手方向の端部から漏れ出るしかない。着用物品の吸収体は、補助パッドがない使用状態を想定して製造されているので、当然、補助パッドの位置する部分に配設されている。この結果、補助パッドから漏れ出た尿は、着用物品の吸収体の周辺に流れてくることとなり、横漏れや後漏れを引き起こしていたのであった。
【０００６】
そこで本発明では、着用物品と共に使用される使い捨て補助パッドの構成を改良することによって、着用物品からの横漏れ・後漏れを防止することを課題として掲げた。
【０００７】
【課題を解決するための手段】
上記課題を解決した本発明の補助パッドは、使い捨てまたは非使い捨て着用物品を着用者が着用するときに、これらの着用物品の着用者面側に載置して使用される使い捨て補助パッドであって、前記使い捨て補助パッドは、吸収体と、吸収体の上側に積層された透液性のトップシートと、吸収体の下側に積層されたバックシートを備え、このバックシートが排泄液の一部を透過し得る素材からなるところに要旨を有する。
【０００８】
この構成の採用によって、使い捨て補助パッドに吸収された尿の一部が、補助パッドの下側に存在する着用物品の吸収体に確実に吸収されるので、横漏れや後漏れを起こすことがなくなる。
【０００９】
バックシートが、開口率２０〜５０％であり、開口面積が０．５ｍｍ2以上の孔を一つ以上有する開口シートである構成、あるいはＪＩＳ  Ｌ１０９２による耐水圧が３０ｍｍ以上の不織布積層体である構成は、いずれも本発明の好ましい実施態様である。
【００１０】
さらに、吸収体が、上層吸収体と下層吸収体およびこれら上下層吸収体の間に介在する中間層を備え、この中間層がＪＩＳ  Ｌ１０９２による耐水圧が３０ｍｍ以上の不織布積層体である構成、あるいはこの中間層が、開口率が２０〜５０％、個々の孔の面積が０．５ｍｍ2以上の開口シートである構成を採用してもよい。尿を透過するが透過しにくい中間層の存在によって、上層吸収体において広く拡散して尿を捕捉することとなり、効率的に吸収できるので、着用物品側への尿の移行を遅らせることができる。
【００１１】
【発明の実施の形態および実施例】
図１は本発明の使い捨て補助パッドの一実施形態を示す一部破断平面図である。使い捨て補助パッドＰ１は、バックシート１と透液性のトップシート２の間に吸収体３が収納されて、各部材が適宜接着されて形成される。そして上記バックシート１の中央部には、大径の孔Ｈ１が形成されている。この孔Ｈ１は、補助パッドＰ１の幅方向中央部で、長さ方向の中央部よりやや上よりを中心点として形成されているが、男女とも排尿は股下直下より前側となるからである。この実施例では、尿が多量に存在することとなる部分に孔Ｈ１を設けているので、大量に排泄された尿や、補助パッドＰ１の吸収体３の吸収容量を超えた場合の尿が、補助パッドＰ１の下の着用物品側へ移行し、着用物品の吸収体によって吸収されることとなる。なお、補助パッドＰ１を着用物品の内側（着用者の肌面側）に取り付ける場合、その載置位置を適宜ずらせば、排尿箇所と孔Ｈ１の位置を合致させることができるので、孔Ｈ１の位置は限定されない。必要に応じて、孔Ｈ１の部位に、バックシート１と吸収体３の間に、親水性の不織布等を介在させて、外観向上および吸収体３からの繊維や高吸水性ポリマー等の脱落防止を行っても良い。
【００１２】
図２は、本発明の他の実施例のバックシート２１の平面図である。バックシート２１には、様々な大きさの複数の孔Ｈ２が設けられている。このようなバックシート２１を用いることにより、尿が吸収体３全域に拡散し、かつ過剰の尿は適宜バックシート２１の孔Ｈ２から着用物品側へ移行するので、横漏れを起こすことはない。また、バックシート２１には、非開口部分が全面にあるため、非開口部分に接触した尿が水平方向へ浸透していくこととなり、吸収体３全域への尿の拡散を、より一層助けることとなる。孔Ｈ２のパターンは、図２のパターンに限定されず適宜変更可能である。また、孔Ｈ２の形状は円形だけに限られず、その他、楕円形や多角形など任意に選定することができる。
【００１３】
大径の孔１個のみを設ける場合（図１）、複数の孔を設ける場合（図２）のいずれにおいても、孔の面積は０．５ｍｍ2以上とすることが好ましい。小さすぎると尿の移行が妨げられるからである。より好ましい孔の大きさは、１ｍｍ2以上、さらに好ましくは５ｍｍ2以上である。
【００１４】
また、バックシート全体の面積に占める開口面積の比率、すなわち開口率は２０〜５０％とすることが好ましい。開口率が２０％より小さいと本発明の目的を充分に達成できないことがある。また、５０％を超えて開口を設けると、補助パッドに吸収される尿が経時的に全て着用物品側へ移行してしまうこととなって補助パッドを用いる意味がなくなるため、好ましくない。
【００１５】
バックシート１の素材は特に限定されないが、ポリエチレン、ポリプロピレン等の柔らかなフィルムや、ポリエチレン、ポリプロピレン等の疎水性繊維製の不織布が好ましい。不織布の場合、開口率は測定しにくいため、ＪＩＳ  Ｌ１０９２の低水圧法の静水圧法に則って測定された耐水圧が３０ｍｍ以上のものを用いることが好ましい。このような耐水圧にするために、疎水性繊維製の不織布を複数積層してもよい。もちろん不織布に、図１あるいは図２に示した孔を開けることも可能である。耐水圧の下限は、４０ｍｍ以上がより好ましく、５０ｍｍ以上がさらに好ましい。
【００１６】
トップシート２は、透液性を有する素材であれば特に限定されないが、肌触り感からは不織布や多数の孔が設けられたフィルムが好ましい。本発明の補助パッドは長時間使用が可能なので、着用者に不快感を与えないように、液戻りの少ないドライ感のあるトップシートを用いることが好ましい。例えば、疎水性繊維製不織布と親水性繊維製不織布を積層してニードルパンチによって両者を結合させた積層体を、疎水性繊維製不織布側を肌面側にして利用したり、穴の近傍を親水化処理した穴あきプラスチックフィルム等を用いるとよい。
【００１７】
吸収体３は、尿を吸収する作用を有するものであれば、特に限定されないが、天然パルプ繊維、合成繊維や高吸水性ポリマー粉末等を混合または積層し、その外周を薄葉紙によって包み込んで繊維が脱離しないように構成されたものが好ましく用いられる。
【００１８】
図３に示す例は、吸収体３を３層構造とした実施例を説明するための断面図である。なお、見やすいように各部材は間隔をあけて記載しているが、実際はヒートシール、ホットメルト接着剤等の接着手段で適宜接着されて密接している。図３では、上層吸収体３３ａと下層吸収体３３ｃの間に、中間層３３ｂが設けられている。中間層３３ｂとしては、疎水性繊維製不織布または開口シートが好ましい。前記バックシート用素材として例示したように、疎水性繊維製不織布としては、ＪＩＳ  Ｌ１０９２の低水圧法の静水圧法に則って測定された耐水圧が３０ｍｍ以上のものを用いることが好ましく、開口シートとしては、開口率２０〜５０％であり、開口面積が０．５ｍｍ2以上の孔を１つ以上有するものを用いることが好ましい。
【００１９】
中間層３３ｂの存在によって、上層吸収体３３ａに吸収された尿が、鉛直方向に拡散して下層吸収体３３ｃへ移行するのを部分的に阻害することとなるため、上層吸収体３３ａの中で水平に拡散する。このため、上層吸収体３３ａから下層吸収体３３ｃへの尿の移行も、排尿箇所に集中するのではなく、吸収体３３ａ全域に拡散してから移行する。さらに、バックシート３１を通過して、バックシート３１の下側に存在する着用物品（図４参照）の吸収体へ移行するときも、下層吸収体３３ｃ全域に拡散しながら、下側へ移行するため、一部分に集中して尿が着用物品側へ移行することがなくなり、一層尿漏れ効果が高まるのである。なお、吸収体３は図３のように３層構造とするのではなく、吸収体−中間層−吸収体−中間層−吸収体というように５層構造、あるいはそれ以上の積層構造とすることもできる。
【００２０】
図３において、バックシート３１の側部はトップシート３２側へ折り返され、折返し端部３１ａ、３１ａの上に、トップシート３２の側部がそれぞれ接着されている。なお、バックシートとトップシートは、端部を合掌状に重ねて接着（ヒートシール等）してもよい。
【００２１】
図４は、着用物品として使い捨てオムツＤを用い、その股部相当域に使い捨て補助パッドＰ３を重ねた状態を示す断面説明図である。使い捨て補助パッドＰ３の左右側部には、先端に弾性糸４６が封入された立ち上がり帯材５４、５４が設けられ、吸収体は、中間層としての開口シート４３ｂが上層吸収体４３ａと下層吸収体４３ｃの間に設けられて構成されている。開口を有するバックシート４１（例えば図２に示したようなシート）と、トップシート４２によって３層構造の吸収体が挟まれ、バックシート４１とトップシート４２の側部は重ねられて接着されている。
【００２２】
一方、使い捨ておむつＤは、バックシート５１、トップシート５２との間に吸収体５３が介装され、先端に弾性糸５５が封入された立ち上がり帯材５４、５４が設けられ、左右には脚回りギャザー用の複数本の弾性糸５６が設けられて構成されている。
【００２３】
尿Ｎがこの補助パッドＰ３へ排泄された場合の尿の挙動を実線矢印および破線矢印に示す。尿Ｎはトップシート４２を通過して上層吸収体４３ａ中へ移行し、開口シート４３ｂに至り、このシート４３ｂによって尿Ｎの大部分は補助パッドＰ３の長さ方向および幅方向へ拡散する。尿Ｎの一部は開口シート４３ｂの孔を通過して下層吸収体４３ｃ側へ移行する。そして開口バックシート４１に到達して、下層吸収体４３ｃの中での拡散が始まる。この構成により、上層吸収体４３ａ内部での拡散が終了した段階、すなわち上層吸収体４３ａの吸収容量を超えた段階で、本格的に下層吸収体４３ｃへの尿Ｎの移行が始まるので、各層の吸収体の吸収能力を充分に発揮させることができる。
【００２４】
補助パッドＰ３の上層吸収体４３ａおよび下層吸収体４３ｃの吸収容量を超えて、さらに排尿があった場合には、過剰な尿は破線矢印に示すようにバックシート４１の孔を通って使い捨てオムツＤのトップシート５２を通過し、その下方にある吸収体５３に達して吸収される。使い捨て補助パッドＰ３の下側には、使い捨てオムツＤの吸収体５３が配置されているので、横漏れを生じることなくスムーズに、吸収体５３に吸収されることとなる。従来技術の補助パッドであれば、補助パッドの両横から尿が漏れ出すので、使い捨ておむつＤの立ち上がり部材５４を超えて横漏れしてしまうが、本発明の補助パッドでは、上記のように横漏れすることはない。
【００２５】
【発明の効果】
請求項１の発明によれば、吸収体の吸収容量を超えた尿が排泄されても、排泄液の一部が補助パッドのバックシートを通過して、その下側にある着用物品の吸収体によって確実に吸収されるので、従来品のように横漏れを引き起こしてシーツや衣類を汚すことがなくなった。また、使い捨て補助パッドの吸収体の吸収能力を充分に発揮させることができるので、補助パッドの交換頻度を減らすことができるようになった。
【００２６】
また、開口シートは入手が簡単で安価なバックシートとなるので、製品価格を引き上げることはなく、かつ孔の配置位置等も適宜変更可能であり、排泄液の一部を確実に着用物品側へ通すことができる。
【００２７】
請求項２および３の発明により、補助パッドの吸収体内部において、尿を補助パッドの長さ方向および幅方向に拡散できることとなり、尿が一箇所に集中して下側へ浸透するのを防止することができるようになった。また、尿を面状に拡散するので、吸収体全域で吸収することができるため、吸収体の吸収能力の限界まで発揮させることができる。この結果、使い捨て補助パッドの交換頻度をさらに減少させることが可能である。
【図面の簡単な説明】
【図１】本発明の使い捨て補助パッドの実施例を示す一部破断平面図である。
【図２】本発明の使い捨て補助パッドの他の実施例を示す平面図である。
【図３】本発明の使い捨て補助パッドの他の実施例を示す断面図である。
【図４】本発明の使い捨て補助パッドの使用状態を示す横断面説明図である。
【符号の説明】
１１，２１，３１，４１  バックシート
１２，２２，３２，４２  トップシート
１３，２３  吸収体
３３ａ，４３ａ  上層吸収体
３３ｂ，４３ｂ  中間層
３３ｃ，４３ｃ  下層吸収体
Ｐ１，Ｐ２，Ｐ３  使い捨て補助パッド
Ｎ  尿
【図１】
0004132465.tif 000002
【図２】
0004132465.tif 000003
【図３】
0004132465.tif 000004
【図４】
0004132465.tif 000005